(57)【要約】【課題】防食部材の有り無しのいずれのタイプの電線付き端子金具を使用した場合にも、コネクタハウジングに収容した状態での振動時のガタつきを抑制することのできるコネクタを提供する。【解決手段】コネクタハウジング１０と、コネクタハウジングの端子収容室１１に挿入されてランスで固定される端子金具５０とを有し、端子金具の電線接続部５２が収容される端子収容室の後部の内周壁のうち、ランスのある側の内周壁に、端子金具の挿入方向に沿って形成され且つ電線接続部と端子収容室の内周壁との間の距離を縮める突条１５が設けられている。一方、電線接続部の外周を覆う防食部材６０の表面に、端子金具を端子収容室に挿入する際に突条に対してスライド自在に嵌まる溝６１が形成されている。【選択図】図４
2014179296.tif 000002
【特許請求の範囲】
【請求項１】
前後方向に貫通した端子収容室を備えたコネクタハウジングと、
前部に相手側端子と接続するための端子接続部を有し後部に電線の端末が接続された電線接続部を有し、前記コネクタハウジングの端子収容室に後方から前方に向けて挿入され、前記端子収容室の内部に設けられた可撓性のランスによって抜け止めされることで、前記コネクタハウジングに装着される端子金具と、
を有するコネクタであって、
前記電線接続部が収容される前記端子収容室の後部の内周壁のうち前記ランスのある側の内周壁に、前記端子金具の挿入方向に沿って形成され且つ前記電線接続部に向かって突出する突条が設けられていることを特徴とするコネクタ。
【請求項２】
前記電線接続部の外周に該電線接続部を包むように防食部材が設けられており、その防食部材の表面に、前記端子金具を前記コネクタハウジングの端子収容室に挿入する際に前記突条に対してスライド自在に嵌まる溝が形成されていることを特徴とする請求項１に記載のコネクタ。
【発明の詳細な説明】
【技術分野】
【０００１】
本発明は、電線付き端子金具をコネクタハウジングの端子収容室に組み付けて構成したコネクタに関するものである。
【背景技術】
【０００２】
一般に、電線の端末にコネクタを取り付ける場合、まず、電線の端末に端子金具を装着し、その端子金具をコネクタハウジングの端子収容室に挿入してコネクタを構成している。
【０００３】
具体的には、電線が、複数本の素線を撚り合わせた撚り線からなる芯線を絶縁被覆で覆った構造である場合、まず、電線の端末の被覆を皮剥ぎして芯線の端末を露出させ、この露出した芯線の端末に対して端子金具のワイヤバレル部を加締め、残された被覆の端末にインシュレーションバレル部を加締めることで、端子金具を被覆電線の端末に接続する。次に、その電線付き端子金具を、コネクタハウジングの端子収容室に後方から前方に向けて挿入し、端子収容室の内部に設けられたランスで端子金具を抜け止め係止することで、コネクタを構成している。
【０００４】
ところで、近年、自動車のワイヤハーネス等の分野においても、軽量化等を目的としてアルミ電線を使用するようになってきた。アルミ電線は、例えば、複数本のアルミ素線を撚り合わせた撚り線からなる芯線を絶縁被覆で覆った構造のものである。アルミ電線の端末にコネクタを取り付ける場合、互いに導通接続される電線の芯線と端子金具とが異種金属になることで、次の解決すべき課題が生じる可能性が出てくる。
【０００５】
例えば、電線の芯線と端子金具とが異種の金属によって形成されている場合、両者の接触部分に水分が介在すると、両金属が水中にイオンとして溶け込んで電気化学的反応により腐食が進行する電食が発生することが知られている。端子金具は、強度上の問題等で銅合金製とするのが一般的であるため、上記のように電線にアルミ電線を使用した場合、電線の芯線と端子金具とが異種金属になることで、電食の問題が発生する懸念が出てくる。
【０００６】
そこで、特許文献１に記載のコネクタでは、シリコーンゴム、キレート剤等からなる樹脂封止部材（防食部材）で電線接続部を封止することで、電食を防止するようにしている。
【０００７】
従って、銅電線の端末に同種の金属である銅合金製の端子金具を接続した銅電線付き端子金具を用いてコネクタを構成する場合は、銅電線の端末を接続した電線接続部を露出させた状態の端子金具を、コネクタハウジングの端子収容室に挿入してコネクタを構成しているのである。他方、アルミ電線の端末に異種の金属である銅合金製の端子金具を接続したアルミ電線付き端子金具を使用してコネクタを構成する場合は、アルミ電線の端末を接続した電線接続部を防食部材でコーティングした状態の端子金具を、コネクタハウジングの端子収容室に挿入してコネクタを構成している。
【０００８】
防食部材で電線接続部の外周を覆った場合は、当該部分の外形サイズが防食部材無しの場合に比べて大きくなる。そのため、コネクタハウジングを、アルミ電線付き端子金具と銅電線付き端子金具に対して共通の部品として用意する場合は、大きいサイズのアルミ電線付き端子金具に合わせた端子収容室を有するコネクタハウジングを用意することになる。
【先行技術文献】
【特許文献】
【０００９】
【特許文献１】特開２０１２−３８５６６号公報
【発明の概要】
【発明が解決しようとする課題】
【００１０】
しかし、コネクタハウジングの端子収容室を防食部材有りの大きいサイズに合わせた場合、防食部材無しの小さいサイズの銅電線付き端子金具を端子収容室に挿入すると、電線接続部と端子収容室の内周壁との間に大きめの隙間があいてしまうため、電線接続部の遊び代が大きくなり、振動時にガタ付きが起きやすくなる。
【００１１】
一方、防食部材有りのアルミ電線付き端子金具を端子収容室に挿入した場合は、適正に挿入されている限り、電線接続部と端子収容室の内周壁との間の隙間が小さくなるため、電線接続部の遊び代が小さくなる。しかし、端子金具を斜めに挿入したりして、防食部材と端子収容室の内周壁との干渉により防食部材が削られてしまうと、電線接続部の遊び代が大きくなって、ガタが生じやすくなる。
【００１２】
本発明は、上述した事情に鑑みてなされたものであり、その目的は、防食部材有り及び防食部材無しのいずれのタイプの電線付き端子金具を使用した場合にも、コネクタハウジングに収容した状態での振動時のガタつきを抑制することのできるコネクタを提供することにある。
【課題を解決するための手段】
【００１３】
前述した目的を達成するために、本発明に係るコネクタは、下記（１）、（２）を特徴としている。
（１）前後方向に貫通した端子収容室を備えたコネクタハウジングと、
前部に相手側端子と接続するための端子接続部を有し後部に電線の端末が接続された電線接続部を有し、前記コネクタハウジングの端子収容室に後方から前方に向けて挿入され、前記端子収容室の内部に設けられた可撓性のランスによって抜け止めされることで、前記コネクタハウジングに装着される端子金具と、
を有するコネクタであって、
前記電線接続部が収容される前記端子収容室の後部の内周壁のうち前記ランスのある側の内周壁に、前記端子金具の挿入方向に沿って形成され且つ前記電線接続部に向かって突出する突条が設けられていること。
（２）上記（１）の構成のコネクタにおいて、
前記電線接続部の外周に該電線接続部を包むように防食部材が設けられており、その防食部材の表面に、前記端子金具を前記コネクタハウジングの端子収容室に挿入する際に前記突条に対してスライド自在に嵌まる溝が形成されていること。
【００１４】
上記（１）の構成のコネクタによれば、コネクタハウジングの端子収容室の内周壁に突条が設けられていることによって、端子収容室に挿入された端子金具の電線接続部の、端子金具の挿入方向と直交する方向の遊び代を減らすことができる。従って、電線接続部が防食部材で覆われているかいないかに拘わらず、振動が加わった際の端子金具のガタ付きを軽減することができる。
上記（２）の構成のコネクタによれば、前記突条による電線接続部に対する規制作用により、端子金具がコネクタハウジングの端子収容室に斜めに挿入されるのを防ぐことができる。従って、電線接続部の外周が防食部材で覆われている場合に、防食部材と端子収容室の内周壁との干渉によって防食部材が削られるのを防ぐことができる。その結果、突条が電線接続部の遊びを規制することによるガタ付き防止効果に加え、削られないままの防食部材が端子収容室の内周壁と電線接続部との間に介在することよるガタ付き防止効果が得られる。
【発明の効果】
【００１５】
本発明によれば、電線接続部を覆うように防食部材がコーティングされたタイプの電線付き端子金具（例えば、アルミ電線付き端子金具）を使用する場合も、防食部材がコーティングされておらず電線接続部がそのまま露出したタイプの電線付き端子金具（例えば、銅電線付き端子金具）を使用する場合も、同様に、コネクタハウジングに収容した状態での振動時の端子金具のガタつきを抑制することができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１（ａ）及び図１（ｂ）は、本発明の実施形態で用いるコネクタハウジングの構成図で、図１（ａ）は外観斜視図、図１（ｂ）は端子収容室の中心位置で縦に切った縦断面図である。
【図２】図２（ａ）及び図２（ｂ）は、本発明の実施形態で用いるアルミ電線付き端子金具の構成図で、図２（ａ）は外観斜視図、図２（ｂ）は縦断面図である。
【図３】図３（ａ）及び図３（ｂ）は、本発明の実施形態で用いる銅電線付き端子金具の構成図で、図３（ａ）は外観斜視図、図３（ｂ）は縦断面図である。
【図４】図４（ａ）から図４（ｃ）は、前記コネクタハウジングに防食部材有りのアルミ電線付き端子金具を組み付けて構成した実施形態のコネクタの構成図で、図４（ａ）は外観斜視図、図４（ｂ）は縦断面図、図４（ｃ）はインシュレーションバレル部の位置で切った横断面図である。
【図５】図５（ａ）から図５（ｃ）は、前記コネクタハウジングに防食部材無しの銅電線付き端子金具を組み付けて構成した実施形態のコネクタの構成図で、図５（ａ）は外観斜視図、図５（ｂ）は縦断面図、図５（ｃ）はインシュレーションバレル部の位置で切った横断面図である。
【発明を実施するための形態】
【００１８】
以下、本発明の実施形態を図面を参照して説明する。
図１（ａ）及び図１（ｂ）は実施形態で用いるコネクタハウジングの構成図、図２（ａ）及び図２（ｂ）は実施形態で用いるアルミ電線付き端子金具の構成図、図３（ａ）及び図３（ｂ）は実施形態で用いる銅電線付き端子金具の構成図である。また、図４（ａ）から図４（ｃ）は前記コネクタハウジングに防食部材有りのアルミ電線付き端子金具を組み付けて構成した実施形態のコネクタの構成図、図５（ａ）から図５（ｃ）は前記コネクタハウジングに防食部材無しの銅電線付き端子金具を組み付けて構成した実施形態のコネクタの構成図である。
【００１９】
実施形態のコネクタは、図１に示すように、前後方向に貫通した端子収容室１１を備えるコネクタハウジング１０と、図２及び図３に示すように、前部に相手側端子と接続するための端子接続部５１を有し、後部に電線Ｗ１、Ｗ２の端末が接続された電線接続部５２を有し、コネクタハウジング１０の各端子収容室１１に後方から前方に向けて挿入され固定される端子金具５０と、から構成されている。
【００２０】
図２及び図３に示す端子金具５０は、銅合金製の同じ構造のものである。図２及び図３に示す端子金具５０は、図２の端子金具５０はアルミ電線Ｗ１の端末に接続され、図３の端子金具５０は銅電線Ｗ２の端末に接続される点が異なる。ここでは、アルミ電線Ｗ１の端末に接続された端子金具５０をアルミ電線付き端子金具ＴＡとし、銅電線Ｗ２の端末に接続された端子金具５０を銅電線付き端子金具ＴＢとして区別する。
【００２１】
アルミ電線付き端子金具ＴＡと銅電線付き端子金具ＴＢの違いは、前者が、電線接続部５２に該電線接続部５２を覆うように防食部材６０（例えば、シール用の樹脂）がコーティングされているのに対し、後者が、防食部材６０がコーティングされていない点である。
【００２２】
アルミ電線Ｗ１は、複数のアルミニウムまたはアルミニウム合金製のアルミ素線を撚り合わせた撚り線からなる芯線Ｗａ１を絶縁被覆Ｗｂで覆った構造のものである。銅電線Ｗ２は、複数の銅または銅合金製の銅素線を撚り合わせた撚り線からなる芯線Ｗａ２を絶縁被覆Ｗｂで覆った構造のものである。
【００２３】
端子金具５０の前部に設けられている端子接続部５１は、図２（ａ）、図２（ｂ）及び図３（ａ）、図３（ｂ）に示すように、前後方向に開口する角筒状をなしており、その前端開口５７を通して、雄端子（図示略）が内部に嵌合可能とされている。端子接続部５１の後端には、図１（ａ）及び図１（ｂ）に示すコネクタハウジング１０の端子収容室１１の内部に設けられたランス１４によって係止されるランス係止部５８が設けられている。
【００２４】
端子金具５０の後部に設けられている電線接続部５２は、アルミ電線Ｗ１または銅電線Ｗ２の端末にて絶縁被覆Ｗｂが皮剥ぎされることで露出された芯線Ｗａ１、Ｗａ２に圧着されるワイヤバレル部５３と、皮剥ぎされることで残された絶縁被覆Ｗｂの端末に加締められるインシュレーションバレル部５４とからなる。
【００２５】
ワイヤバレル部５３は、オープンバレル形式の一対の圧着片５３ａ、５３ａを有しており、両圧着片５３ａ、５３ａを芯線Ｗａ１、Ｗａ２の左右両側から包み込むように圧着することで、芯線Ｗａ１、Ｗａ２に固着されている。
【００２６】
インシュレーションバレル部５４は、ワイヤバレル部５３よりも一回り大きめに形成され、特に上下寸法がワイヤバレル部５３より大きめに形成されている。このインシュレーションバレル部５４は、オープンバレル形式の一対の加締片５４ａ、５４ａを有しており、絶縁被覆Ｗｂの残された部分の端末を左右両側から包み込むように加締めることで、電線Ｗ１、Ｗ２に固着されている。
【００２７】
ここで、端子金具５０は銅合金製とされているため、図２に示すように、アルミ電線Ｗ１の芯線Ｗａ１と端子金具５０のワイヤバレル部５３との接続は、イオン化傾向の異なる異種金属同士の接続となる。そのため、アルミ電線Ｗ１の端末に接続された電線接続部５２の外周には、電線接続部５２を覆うように防食部材６０がコーティングされている。具体的には、ワイヤバレル部５３とインシュレーションバレル部５４とが共に、防食部材６０によって外部に露出しないように覆われている。これにより、電線接続部５２の内部に水分が侵入することがなく、異種金属同士の接続であっても電食を防ぐことができるようになる。
【００２８】
一方、図３に示すように、銅電線Ｗ２の芯線Ｗａ２と端子金具５０のワイヤバレル部５３との接続は、同種金属同士の接続となる。そのため、異種金属同士の接続部のように電食のおそれがないことから、電線接続部５２は防食部材６０無しの状態で露出している。
【００２９】
実施形態のコネクタでは、前述のように構成されたアルミ電線付き端子金具ＴＡと銅電線付き端子金具ＴＢの２タイプに対して、図１に示すような共通のコネクタハウジング１０が用意されている。このコネクタハウジング１０は樹脂成形品よりなるもので、前後方向に貫通する２つの端子収容室１１を有している。
【００３０】
２つの端子収容室１１は横に並んでおり、共通の上壁１２と下壁１３とを有している。上壁１２の上面（外面）には、相手側コネクタと嵌合した際にコネクタハウジング同士をロックする、係止凸部１８ａを有した片持形状のロックアーム１８が設けられている。ロックアーム１８の自由端に設けられた操作部１８ｂの周囲には、むやみに操作部１８ｂが操作されないように保護枠１９が設けられている。
【００３１】
また、各端子収容室１１の下壁１３の内面には、可撓性のランス１４が一体に形成されている。このランス１４は、後端の固定端１４ａが端子収容室１１の下壁１３に対して結合され、前端の自由端１４ｂが前方斜め上方に延びる片持形状をなしており、固定端１４ａを支点にして、自由端１４ｂ側が上下方向に撓み自在となっている。そして、ランス１４の自由端１４ｂに、端子金具５０のランス係止部５８に係合することで、端子金具５０を後方へ抜け止めする係止段部１４ｃが設けられている。
【００３２】
各端子収容室１１の後部は、サイズの大きいアルミ電線付き端子金具ＴＡの外形寸法に応じた大きさのバレル収容部１１ａとして形成されており、バレル収容部１１ａの後端１１ｂはコネクタハウジング１０の後端面に開口している。バレル収容部１１ａの内周壁は、ランス１４の成形上の要請などから、ランス１４のある側が端子金具５０に対して余裕を持った大きさに形成されている。従って、端子収容室１１に端子金具５０が挿入されて固定された場合に、ランス１４のある側に端子金具５０の動くスペースができる。
【００３３】
このコネクタハウジング１０では、端子金具５０の電線接続部５２が収容される端子収容室１１のバレル収容部１１ａの内周壁のうち、ランス１４のある側の内周壁に、端子収容室１１に収容された際の電線接続部５２に向かって突出する突条１５が設けられている。この突条１５は、端子金具５０の挿入方向に沿って延びている。
【００３４】
また、図２に示すように、アルミ電線付き端子金具ＴＡの電線接続部５２の外周を包むように設けられた防食部材６０の表面には、端子金具５０をコネクタハウジング１０の端子収容室１１に挿入する際に、コネクタハウジング１０の突条１５に対してスライド自在に嵌まる溝６１が形成されている。
【００３５】
実施形態のコネクタを構成する場合は、図４または図５に示すように、コネクタハウジング１０の各端子収容室１１に、アルミ電線Ｗ１の端末に取り付けられた端子金具５０（アルミ電線付き端子金具ＴＡ）、または、銅電線Ｗ２の端末に取り付けられた端子金具５０（銅電線付き端子金具ＴＢ）を挿入する。この際、端子金具５０は、コネクタハウジング１０に対して、図２（ａ）、図２（ｂ）及び図３（ａ）、図３（ｂ）に示す姿勢を上下逆にして挿入される。
【００３６】
そうすると、ランス１４を下方に押し下げながら端子金具５０の端子接続部５１が端子収容室１１の奥に挿入され、端子接続部５１がランス１４の先端を通過したところで、ランス１４が撓みから復帰して、ランス１４の先端の係止段部１４ｃが端子金具５０のランス係止部５８に係合し、端子金具５０が抜け止めされた状態で固定される。
【００３７】
このとき、端子金具５０の電線接続部５２のワイヤバレル部５３やインシュレーションバレル部５４は、端子収容室１１の後部のバレル収容部１１ａに収容される。アルミ電線付き端子金具ＴＡが端子収容室１１に挿入された場合は、端子金具５０の底面は端子収容室１１の上壁１２に当接することで支持される。他方、端子収容室１１の下壁１３には突条１５が設けられているので、図４（ｂ）の矢印Ｙで示す方向の電線接続部５２の倒れが規制される。従って、端子挿入方向と直交する方向における電線接続部５２の遊び代が減り、それによって、振動時に端子金具５０がガタつくのが抑制される。
【００３８】
一方、銅電線付き端子金具ＴＢが端子収容室１１に挿入された場合は、端子金具５０の底面は端子収容室１１の上壁１２に当接はしていないが、端子収容室１１の下壁１３には突条１５が設けられているので、突条１５の高さ分、図５（ｂ）の矢印Ｙで示す方向の電線接続部５２の倒れが規制される。従って、端子挿入方向と直交する方向における電線接続部５２の遊び代が減り、それによって、振動時に端子金具５０がガタつくのが抑制される。
【００３９】
このように、実施形態のコネクタによれば、電線接続部５２が防食部材６０で覆われているかいないかに拘わらず、つまり、アルミ電線付き端子金具ＴＡを用いてコネクタが構成されているか、銅電線付き端子金具ＴＢを用いてコネクタが構成されているかに拘わらず、振動時に端子金具５０がガタつくのが抑制される。
【００４０】
また、アルミ電線付き端子金具ＴＡを端子収容室１１に挿入する場合には、突条１５による電線接続部５２に対する規制作用により、端子金具５０がコネクタハウジング１０の端子収容室１１に斜めに挿入されるのを防ぐことができる。従って、電線接続部５２の外周が防食部材６０で覆われたアルミ電線付き端子金具ＴＡを用いてコネクタが構成されている場合、防食部材６０と端子収容室１１の内周壁との干渉によって防食部材６０が削られるのを防ぐことができる。その結果、突条１５が電線接続部５２の遊びを規制することによるガタ付き防止効果に加え、削られないままの防食部材６０が端子収容室１１の内周壁と電線接続部５２との間に介在することよるガタ付き防止効果が得られる。
【００４１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４２】
１０  コネクタハウジング
１１  端子収容室
１４  ランス
１５  突条
５０  端子金具
５１  端子接続部
５２  電線接続部
６０  防食部材
６１  溝
Ｗ１  アルミ電線
Ｗ２  銅電線
【図１】
2014179296.tif 000003
【図２】
2014179296.tif 000004
【図３】
2014179296.tif 000005
【図４】
2014179296.tif 000006
【図５】
2014179296.tif 000007